(57)【特許請求の範囲】
【請求項１】
貯蔵室と、
前記貯蔵室内において、前方へ引き出し可能に設けられた第１容器と、
前記第１容器とは独立し、前方へ引き出し可能に設けられた第２容器と、
を有し、
前記第１容器の底部の左右方向において、前記底部が上底面板と、前記上底面板より下方にある下底面板とからなり、
前記第１容器の前記上底面板の下方には、前記第２容器を収納するための収納空間が形成され、
前記第１容器の前面と前記第２容器の前面とが上下に重なり、
前記上底面板と前記下底面板の間の段差板の外側には中レールが前後方向に突出し、
前記第２容器の側面には、前記中レールと係合するレールが設けられている、
冷蔵庫。
【請求項２】
前記第２容器の底面が、前記貯蔵室の底部に載置され、
前記第１容器の前記下底面が、前記貯蔵室の底部に載置されている、
請求項１に記載の冷蔵庫。
【請求項３】
前記第１容器の下部右側、下部左側、又は下部中央部に前記収納空間が形成されている、
請求項１に記載の冷蔵庫。
【請求項４】
前記第１容器の前面に設けられ、下方が開口した上手掛け部と、
前記第２容器の前面に設けられ、上方が開口した下手掛け部と、
を有し、
前記上手掛け部と前記下手掛け部が上下に重なっている、
請求項１に記載の冷蔵庫。
【請求項５】
前記上手掛け部の下端中央部に上切欠き部が形成され、
前記下手掛け部の上端中央部に下切欠き部が形成されている、
請求項４に記載の冷蔵庫。
【請求項６】
前記貯蔵室が冷蔵室であり、
前記第１容器と前記第２容器が、前記冷蔵室内のチルド室内部に配されている、
請求項１に記載の冷蔵庫。
【請求項７】
前記第１容器の背面に対応した前記チルド室の背面に吹き出し口が開口し、
前記第１容器の上面と前記第２容器の上面が開口し、
前記第２容器に対応する前記第１容器の底面に冷気流通孔が開口している、
請求項６に記載の冷蔵庫。
【請求項８】
前記チルド室の天井板の前端部から前記第１容器の前面の上方へ、蓋が開閉自在に配されている、
請求項７に記載の冷蔵庫。
【発明の詳細な説明】
【技術分野】
【０００１】
本発明の実施形態は、冷蔵庫に関するものである。
【背景技術】
【０００２】
従来、冷蔵庫の冷蔵室には、肉や魚などの収納を行うためのチルド室が設けられ、このチルド室には、上下２段の容器が引き出し自在に配されている。
【先行技術文献】
【特許文献】
【０００３】
【特許文献１】特開２００１−３３０３６１号公報
【特許文献２】特開２００３−３２９３６２号公報
【特許文献３】特開２００９−４７３８４号公報
【発明の概要】
【発明が解決しようとする課題】
【０００４】
上記のような冷蔵庫であると、高さの低い容器が上下に配されているだけであるため、高さの高い食品を収納できないという問題点があった。
【０００５】
そこで本発明の実施形態は上記問題点に鑑み、高さの低い食品及び高さの高い食品でも収納することができる冷蔵庫を提供することを目的とする。
【課題を解決するための手段】
【０００６】
本発明の実施形態は、貯蔵室と、前記貯蔵室内において、前方へ引き出し可能に設けられた第１容器と、前記第１容器とは独立し、前方へ引き出し可能に設けられた第２容器と、を有し、前記第１容器の底部の左右方向において、前記底部が上底面板と、前記上底面板より下方にある下底面板とからなり、前記第１容器の前記上底面板の下方には、前記第２容器を収納するための収納空間が形成され、前記第１容器の前面と前記第２容器の前面とが上下に重なり、前記上底面板と前記下底面板の間の段差板の外側には中レールが前後方向に突出し、前記第２容器の側面には、前記中レールと係合するレールが設けられている、冷蔵庫である。
【図面の簡単な説明】
【０００７】
【図１】本発明の一実施形態を示す冷蔵庫の正面図。
【図２】冷蔵庫の右側から見た縦断面図。
【図３】チルド室の正面図。
【図４】チルド室の正面から見た縦断面図。
【図５】第１容器と第２容器の斜視図。
【図６】第１容器と第２容器が上下に重なっている部分の縦断面図。
【図７】第１容器の縦断面。
【図８】第１容器と第２容器を収納した状態の一部拡大縦断面。
【図９】第１容器を引き出した状態の一部拡大縦断面。
【図１０】第２容器を引き出した状態の一部拡大縦断面。
【発明を実施するための形態】
【０００８】
以下、一実施形態の冷蔵庫１０について図１〜図１０に基づいて説明する。
【０００９】
（１）冷蔵庫１０の構造
冷蔵庫１０の構造について図１と図２に基づいて説明する。図１は冷蔵庫１０の正面図、図２は冷蔵庫１０の側面から見た縦断面図である。
【００１０】
冷蔵庫１０のキャビネット１２は断熱箱体であって、内箱と外箱とより形成され、その間に断熱材が充填されている。このキャビネット１２内部は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２２の間には水平な断熱仕切体３６が設けられている。冷蔵室１４と野菜室１６とは水平な仕切体３８によって仕切られている。冷蔵室１４の前面には、観音開き式の扉１４ａ，１４ｂが設けられ、野菜室１６、小型冷凍室１８、冷凍室２０及び製氷室２１にはそれぞれ引出し式の扉１６ａ，１８ａ，２０ａ，２１ａが設けられている。
【００１１】
冷蔵室１４内には、複数の棚４０が水平に設けられ、下部にはチルド室４２が設けられている。このチルド室４２は低温室であって、第１容器６０と第２容器６２に肉や魚を収納する。チルド室４２については、後から詳しく説明する。冷蔵室１４の扉１４ａの背面には複数のドアポケット４４が設けられている。野菜室１６には、引出し式の野菜容器４６、４８が設けられている。
【００１２】
冷蔵室１４の背面下部から野菜室１６の背面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー１５で囲まれたＲエバ室１７に配されている。
【００１３】
小型冷凍室１８、製氷室２１の背面から冷凍室２０の背面にかけてのＦエバ室２９には、冷凍用蒸発器（以下、「Ｆエバ」という）３２が設けられ、その上方には冷凍用送風機（以下、「Ｆファン」という）３４が設けられている。Ｆエバ３２の下方には、不図示の除霜ヒータが設けられている。
【００１４】
図２に示すようにＲエバ２８で冷却された冷気は、Ｒファン３０によって冷蔵室１４、チルド室４２及び野菜室１６に送風される。Ｆエバ３２で冷却された冷気は、Ｆファン３４によって小型冷凍室１８、製氷室２１、冷凍室２０に送風される。
【００１５】
キャビネット１２の背面底部には、機械室２２が設けられ、冷凍サイクル６２を構成する圧縮機２４などが載置されている。この機械室２２の背面上部には、制御板２６が設けられている。
【００１６】
（２）チルド室４２の構造
チルド室４２の構造について図３〜図１０に基づいて説明する。図３に示すように、冷蔵室１４の下部に設けられたチルド室４２は、冷蔵室１４の右側に設けられ、チルド室４２の左側にはタンク５０が配されている。タンク５０は、製氷室２１に設けられている製氷装置の製氷皿に水を供給するために配されている。
【００１７】
チルド室４２は、図５に示すように天井板５２と、タンク５０との境界に設けられた左壁板５４と、冷蔵室１４の右側面を構成している右壁板５６と、冷蔵室１４の背面を構成している背壁板５８と、冷蔵室１４の底面を構成している仕切体３８により囲まれ、チルド室４２内部には引き出し式の第１容器６０と第２容器６２が配されている。天井板５２の前端部から第１容器６０の前端部の間には、ヒンジ７０によって回動自在の蓋６４が吊り下げられている。
【００１８】
第１容器６０は、図４と図５に示すように、上面が開口した箱形であって、底部が上底面板６０４と下底面板６３７とを有している。下底面板６３７は、段差板６３５を介して上底面板６０４よりも下方に水平に配されている。上底面板６０４の左側部から左側面板６０２が立設され、下底面板６３７の右側部から右側面板６３６が立設されている。右側面板６３６の高さ寸法は、左側面板６０２より段差板６３５の高さだけ高い寸法を有する。左側面板６０２、上底面板６０４、下底面板６３７、段差板６３５、右側面板６３６の後部には背面板６０３が形成され、前部には前面板６０１が形成されている。前面板６０１の左側、左側面板６０２、背面板６０３の左側により、上小型空間７２が形成されている。前面板６０１の右側、下底面板６３７、右側面板６３６、背面板６０３の右側、段差板６３５により、上小型空間７２よりも高さ寸法が大きい上大型空間７４が形成されている。上底面板６０４の下方と段差板６３５の左側には前後方向に長い収納空間７７が形成されている。この収納空間７７には、第２容器６２が引き出し自在に収納される。
【００１９】
第１容器６０の前面板６０１の前部には、図６〜図８に示すように、上手掛け部６０５が形成されている。上手掛け部６０５は下部が開口し、上部が閉塞し、上手掛け部６０５の下端部中央よりやや左側には左切欠き部６０６が四角状に切り欠かれている。すなわち、第１容器６０の前面板６０１の前方に上手掛け部６０５が上から被さるように設けられ、前面板６０１と上手掛け部６０５の間に手が挿入できる挿入空間６１５が形成されている。前面板６０１の左側下部は段部６０８が形成されている。この段部６０８は、上手掛け部６０５の下方から指をより挿入し易くするためである（図９参照）。上手掛け部６０５の前面は階段状に形成され光散乱面６０７が形成されている。前面板６０１と上底面板６０４の合わさっている角部には、図８〜図１０に示すように複数のスリット状の冷気流通孔６０９が幅方向に所定間隔に複数開口している。第１容器６０の下底面板６３７に対応した背面板６０３には、複数の冷気の吹き出し口６２０が開口している。
【００２０】
図６に示すように、第１容器６０の左側面板６０２と右側面板６３６には、前部から中央部に行くほど上方に膨らむ膨らみ部６１４がそれぞれ形成されている。膨らみ部６１４は、蓋６４を押し上げるためのものである。
【００２１】
図４と図５に示すように、第１容器６０の左側面板６０２の外側には左レール６１０が前後方向に突条に突出している。右側面板６３６の上部には右上レール６１１が前後方向に突条に突出し、下部には右下レール６１６が前後方向に突条に突出している。図４に示すように、段差板６３５の外側には中レール６１８が前後方向に突条に突出している。一方、図４に示すように、左レール６１０に対応して左壁板５４には左上レール受け６１２が前後方向に形成され、右上レール６１１に対応して右壁板５６には右上レール受け６１３が前後方向に形成されている。右壁板５６の下部には右下レール６１６に対応して右下レール受け６１７が前後方向に形成されている。下底面板６３７に対応した仕切体３８の上面には、左右一対の載置突条６１９が突出している。
【００２２】
第２容器６２は、図４〜図６に示すように、第１容器６０の左下方にある収納空間７７に収納され、仕切体３８に対し引き出し自在に配されている。第２容器６２内部には、高さの低い下空間７６が形成されている。また、図４に示すように、仕切体３８の上面右側には、左右一対の載置突条６１９，６１９が前後方向に突出し、この上に第１容器６０の下底面板６３７が載置されている。第２容器６２は、前面板６２１、左右一対の側面板６２２、背面板６２３、底面板６２４より構成され、上面が開口している。また、前面板６２１の前部には下手掛け部６２５が形成されている。下手掛け部６２５は、下部が閉塞し、上部が開口し、下手掛け部６２５の上端部中央やや右側には下切欠き部６２６が四角状に切り欠かれている。すなわち、第２容器６２の前面板６２１の前方に下手掛け部６２５が下から被さるように形成され、前面板６２１と下手掛け部６２５の間に手が挿入できる挿入空間６３０が形成される。図８に示すように、第２容器６２が、第１容器６０の収納空間７７に収納された状態で、上手掛け部６０５の右側の下端部は、第２容器６２の下手掛け部６２５の上端よりもＭ＝１ｍｍ〜５ｍｍ前方に突出している。
【００２３】
図４と図５に示すように、仕切板３８の上面には左右一対の載置突条６２７が前後方向に突出し、この上に第２容器６２が載置されている。図４と図５に示すように、第２容器６２の左右一対の側面板６２２，６２２には左右一対の突条のレール６２８がそれぞれ突出している。左側のレール６２８に対応したレール受け６２９がチルド室４２の左壁板５４に前後方向に形成され、また、右側のレール６２８と、第１容器６０の段差板６３５の中レール６１８が係合している。図４に示すように、第２容器６２の前部下部が底上げ状態になっているのは、仕切体３８の前部が上方に膨らんでいるため、第２容器６２を前方に引き出した場合にその膨らみに対応させるためである。
【００２４】
図４と図５に示すように、Ｒエバ２８で冷却された冷気をチルド室４２に送風するために、チルド室４２の背面５８の上部には、吹き出し口６６が開口している。Ｒエバ２８によって冷却された冷気が、吹き出し口６６からチルド室４２内に吹き出されて第１容器６０に侵入し、第１容器６０内部の肉や魚を冷却する。第１容器６０の上大型空間７３を冷却した冷気は、第１容器６０の背面板６０３に開口した吹き出し口６２０から外部に排出される。図５と図８に示すように、第１容器６０の上小型空間７２を冷却した冷気は、第１容器６０の左側の前面下部にある複数の冷気流通孔６０９を通って第２容器６２に流れ込む。第１容器６０から流れ込んだ冷気は、第２容器６２内部の肉や魚を冷却し、第２容器６２の背面板６２３に開口した吹き出し口６３２から外部に排出される。この場合に、Ｒエバ２８から最も近い位置の吹き出し口６６から冷気が吹き出されるため、チルド室４２内部は、冷蔵室１４の他の部分よりも冷却され、肉や魚に適した冷蔵温度（０℃〜２℃）となる。
【００２５】
蓋６１の左端部には、押圧片６８が形成されている。これにより、蓋６４は、図９に示すように、第１容器６０を前方に引き出すと左側面板６０２、右側面板６３６の前端部と膨らみ部６１４によって押圧片６８が押圧されてヒンジ７０を中心に上方に回転して蓋６１が開き、第１容器６２の引き出しの障害とならない。
【００２６】
（３）効果
本実施形態の冷蔵庫１０によれば、図４に示すように、高さのある食品は、第１容器６０の上大型空間７４に収納でき、高さの低い食品は第１容器６０の上小型空間７２又は第２容器６２の下空間７６に収納できる。
【００２７】
また、図９に示すように、ユーザは、下部が開口した上手掛け部６０５の左側の上切欠き部６０６に下方から手を入れて前方に引き出すと、第１容器６０の左レール６１０は左レール受け６１２に沿って移動し、右上レール６１０は右上レール受け６１３に沿って移動し、右下レール６１６は右下レール受け６１７に沿って移動し、第１容器６０の下底面板６３７が載置突条６１９に載置された状態で移動し、第１容器６０を簡単に引き出すことができる。また、左右一対の側面板６０２の前端部と膨らみ部６１４が蓋６４を押し上げる。
【００２８】
また、図１０に示すように、ユーザは、上方が開口した下手掛け部６２５の下切欠き部６２６に上方から手を入れて前方に引き出すと、第２容器６２の左側のレール６２８がレール受け６２９に沿って移動し、右側のレール６２８が中レール６１８に沿って移動し、第２容器６２の底面板６２４が載置突条６２７に載置された状態で移動し、第２容器６２を簡単に引き出すことができる。このときユーザは、図１０に示すように、上方から下手掛け部６２５に手を入れるため、冷蔵室１４の底面に相当する仕切体３８に手が当たることがない。
【００２９】
また、図８に示すように、第１容器６０の上手掛け部６０５の前面が光散乱面６０７となっているため、ユーザに第１容器６０と第２容器６２内部が見えない。
【００３０】
また、図８に示すように、チルド室４２に収納された状態で第１容器６０の上手掛け部６０５の下端が第２容器６２の下手掛け部６２５の上端よりもＭだけ前方に位置しているため、下手掛け部６２５の上端面がユーザに見えることなく意匠的に優れたものとなる。
【００３１】
また、図４と図８に示すように、第１容器６０の前面板６０１から底面板６０４にかけて冷気通風孔６０９が開口しているため、第１容器６０に侵入した冷気が冷気流通孔６０９を経て第２容器６２内部に侵入しやすい。
【００３２】
また、図６に示すように、チルド室４２の天井板５２に回動自在に吊り下げられた蓋６４が、第１容器６０の前面板６０１の上部まで垂れ下がり、チルド室４２を閉塞し冷気が冷蔵室１４の他の部分に逃げ出すことがない。
【００３３】
（４）変更例
上記実施形態では、第１容器６０の下部左側部に収納空間７７を設けたが、これに代えて第１容器６０下方右側部、又は、中央部に収納空間７７を設けて第２容器６２を前方に引き出し可能なように収納してもよい。
【００３４】
また、上記実施形態では、チルド室４２に第１容器６０と第２容器６２を設けたが、これに限らず他の貯蔵室に設けてもよい。
【００３５】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３６】
１０・・・冷蔵庫、１４・・・冷蔵室、３８・・・仕切体、４２・・・チルド室、６０・・・第１容器、６２・・・第２容器、７７・・・収納空間
【図１】
0006622980.tif 000002
【図２】
0006622980.tif 000003
【図３】
0006622980.tif 000004
【図４】
0006622980.tif 000005
【図５】
0006622980.tif 000006
【図６】
0006622980.tif 000007
【図７】
0006622980.tif 000008
【図８】
0006622980.tif 000009
【図９】
0006622980.tif 000010
【図１０】
0006622980.tif 000011